(57)【要約】【課題】  フックオン時にハンドセットが置台にぶつかって衝突音が発生しても、衝突音が通話相手に聞こえないようにするための検出部とは別にフックスイッチを設けることなく、フックオン／フックオフの動作を検出することができるようにする。【解決手段】  呼び出しが報知されている状態で、検出部が物体を検出しなくなった場合に、通話路を形成するとともにハンドセット１の動作を有効にし、呼び出しが報知されていない状態で、検出部が物体を検出しなくなった場合に、ハンドセット１の動作を有効にしている。また、通話路が形成されている状態で、検出部が物体を検出した場合に、送話部１ａが入力した音声を他の電話装置に出力しないようにし、その状態が所定の時間継続した場合には、通話路を切断するようにしている。一方、通話路が形成されていない状態で、検出部が物体を検出した場合には、ハンドセット１の動作を無効にしている。【選択図】  図１
2010157809.tif 000002
【特許請求の範囲】
【請求項１】
他の電話装置との間で通話路を形成する通信部と、
前記他の電話装置との間で通話路が形成された場合に、入力した音声を前記他の電話装置に出力する送話部と、前記他の電話装置との間で通話路が形成された場合に、前記他の電話装置から入力した音声を周囲に出力する受話部とを有するハンドセットと、
前記ハンドセットが載置される置台と、
前記他の電話装置からの呼び出しを報知する報知部と、
前記置台の近傍の物体を検出する検出部と、
前記検出部が前記置台の近傍の物体を検出している状態で、前記報知部により前記呼び出しが報知されている場合に、前記検出部が前記置台の近傍の物体を検出しなくなったときには、前記通信部を制御して前記他の電話装置との間で通話路を形成するとともに、前記送話部および前記受話部の動作を有効にし、
前記検出部が前記置台の近傍の物体を検出している状態で、前記報知部により前記呼び出しが報知されていない場合に、前記検出部が前記置台の近傍の物体を検出しなくなったときには、前記送話部および前記受話部の動作を有効にして、
前記検出部が前記置台の近傍の物体を検出していない状態で、前記通話路が形成されている場合に、前記検出部が物体を検出したときには、前記送話部が入力した音声を前記他の電話装置に出力しないように制御するとともに、
前記検出部が物体を検出した状態が所定の時間継続したときには、前記通信部を制御して前記通話路を切断し、
前記検出部が前記置台の近傍の物体を検出していない状態で、前記通話路が形成されていない場合に、前記検出部が物体を検出したときには、前記送話部および前記受話部の動作を無効にする制御部と、
を備えたことを特徴とする電話装置。
【発明の詳細な説明】
【技術分野】
【０００１】
本発明は、ハンドセットを所定の場所に載置したり所定の場所から取り上げたりすることにより、通話を切断したり接続したりする電話装置に関する。
【背景技術】
【０００２】
従来、電話装置では、ハンドセットを置台やクレードルなどの所定の場所（以下、これらをまとめて置台と記載する）に載置することでフックスイッチがオンとなり（オンフック状態）、この電話装置と他の電話装置との間で形成されていた通話路を切断することが行われている。また、ハンドセットを置台から取り上げることでフックスイッチがオフとなり（オフフック状態）、この電話装置と他の電話装置との間で通話路を形成することが行われている。
【０００３】
ところで、このような電話装置では、ハンドセットを置台に載置する場合に、ハンドセットが置台にぶつかって衝突音が発生してしまい、この衝突音を聞いた通話相手に不快感を与えてしまうことがあった。これを解決するための技術として、ハンドセットを載置する置台に赤外線センサを設け、ハンドセットを持った手が置台に近づくと、手から発生する熱線を赤外線センサが検出して、電話装置の内部に設けた送話停止手段が一時的に送話を停止するものが知られている（例えば、特許文献１など）。
【特許文献１】特開平５−１０３０６４号公報
【０００４】
この特許文献１に記載の電話装置では、手が置台に近づいたことを赤外線センサが検出した場合に、電話装置が一時的に送話を停止しているので、ハンドセットが置台にぶつかっても衝突音が通話相手に聞こえなくなり、通話相手に不快感を与えることがなくなる。しかしながら、このような電話装置では、通話路を形成したり切断したりするためには、置台にフックスイッチを別途設ける必要があり、電話装置の構造が複雑になってしまうという問題があった。なお、特許文献１では、ハンドセットを持った手を赤外線センサが検出することで、ハンドセットが置台に近づいていることを判定しているが、その他にも様々な検出方法が存在している。
【０００５】
また、電話装置に使用されるフックスイッチは、特許文献１に記載のように、機械的な動作を行うものが多い。機械的な動作を行うフックスイッチは、部品の磨耗や埃の影響などにより寿命が短くなってしまい、機械的なフックスイッチを設けた電話装置は、故障を起こし易いという問題があった。なお、機械的なフックスイッチを持たない電話装置として、ハンドセットおよびハンドセットが載置される受け体（置台と同等）の一方に発光素子および受光素子が溝を介して対置されたフォトカプラを備え、ハンドセットおよび受け体の他方に溝に挿入される突起を備えたものが知られている（例えば、特許文献２など）。
【特許文献２】実開平６−３１２５６号公報
【０００６】
この特許文献２に記載の技術によれば、突起が溝に挿入されて発光素子から受光素子への光が遮断されると待ち受け状態（換言すると、フックオンの状態）となり、突起が溝から外れて発光素子から受光素子への光が遮断されなくなると通話状態（換言すると、フックオフの状態）となる。そのため、特許文献２に記載の電話装置では、機械的なフックスイッチが不要となる。
【発明の開示】
【発明が解決しようとする課題】
【０００７】
しかしながら、特許文献２に記載の技術によれば、突起を溝に入れなければフックオンの状態にならないため、突起が溝の周辺の筐体部分にぶつかったり、ハンドセットが筐体部分にぶつかったりした場合に衝突音が発生してしまい、発生した衝突音が通話相手に聞こえてしまうという問題があった。
【０００８】
本発明は、このような問題を解決するために成されたものであり、フックオンの状態にする場合にハンドセットが置台にぶつかって衝突音が発生しても、発生した衝突音が通話相手に聞こえないようにするための検出部とは別にフックスイッチを設けることなく、フックオン／フックオフの動作を検出することができるようにすることを目的とする。
【課題を解決するための手段】
【０００９】
上述した課題を解決するために、本発明では、呼び出しが報知されている状態で、置台の近傍の物体を検出しなくなった場合に、通話路を形成してハンドセットの動作を有効にし、呼び出しが報知されていない状態で、置台の近傍の物体を検出しなくなった場合には、ハンドセットの動作を有効にしている。また、他の電話装置との間で通話路が形成されている状態で、置台の近傍の物体を検出した場合には、送話を停止し、その状態が所定の時間継続したときには、通話路を切断するようにしている。一方、他の電話装置との間で通話路が形成されていない状態で、置台の近傍の物体を検出した場合には、ハンドセットの動作を無効にしている。
【発明の効果】
【００１０】
上記のように構成した本発明によれば、通話終了後にハンドセットを置台に近づけるとハンドセットにて入力された周囲の音声が通話相手の電話装置に送信されなくなるので、ハンドセットが置台などにぶつかって衝突音が発生しても、その衝突音が通話相手に聞こえなくなる。また、通話終了後にハンドセットが置台に置かれて所定の時間が経過すると、通話路が自動的に切断され、呼び出しの報知に対する応答時にハンドセットを置台から取り上げると、通話路が自動的に形成されて、通話開始時にハンドセットを置台から取り上げると、自動的に通話開始のスタンバイ状態になるので、置台の近傍の物体を検出することでフックスイッチの機能を実現することができる。これにより、フックオン／フックオフの動作を行う場合に、検出部とは別にフックスイッチを設ける必要がなくなる。
【発明を実施するための最良の形態】
【００１１】
以下、本発明の一実施形態を図面に基づいて説明する。図１は、本実施形態による電話装置の構成例を示す図であり、図２は、本実施形態による電話装置の構成例を示すブロック図である。図１に示すように、本実施形態による電話装置は、外観上ではハンドセット１と置台２とを組み合わせて構成されている。また、図１および図２に示すように、ハンドセット１は、送話部１ａ、受話部１ｂ、ハンドセット制御部１ｃ、ハンドセットインターフェース１ｄを備えて構成されている。また、置台２は、検出部３、制御部４、電話装置インターフェース５、報知部６、通信部７を備えて構成されている。
【００１２】
ハンドセット１は、その筐体内に上述した各構成要素を内蔵しており、使用者が他の電話装置の使用者からの呼び出しに応答したり、他の電話装置の使用者と会話したりする際に、使用者が手に取って使用するものである。また、置台２には、ハンドセット１を置くための凹部（図示せず）が形成されており、使用者がハンドセット１を使用しないときには、少なくともハンドセット１の一部が凹部に係合する。これにより、ハンドセット１が置台２に載置される。
【００１３】
まず、ハンドセット１の各構成要素を説明する。送話部１ａは、使用者などが発した声や周囲の音などを入力するものであり、他の電話装置との間で通話路が形成された場合に、入力した音声を他の電話装置に出力する。受話部１ｂは、他の電話装置との間で通話路が形成された場合に、他の電話装置から入力した音声を周囲に出力する。
【００１４】
ハンドセット制御部１ｃは、ハンドセット１の各構成要素を制御するためのものであり、主に送話部１ａや受話部１ｂの動作を有効にしたり無効にしたりする制御を後述するように行う。ハンドセットインターフェース１ｄは、有線や無線によりハンドセット１を置台２に接続するためのものである。
【００１５】
次に、置台２の各構成要素を説明する。検出部３は、置台２の近傍の物体を検出するためのものであり、例えば、赤外発光ダイオード３ｂおよび受光素子３ｃを使用した測距センサなどにより構成される。図１に示すように、基板３ａ上には赤外発光ダイオード３ｂおよび受光素子３ｃが設置されており、赤外発光ダイオード３ｂから出力された赤外光は、発光側レンズ３ｄを介してハンドセット１などの物体に照射される。照射された赤外光は、ハンドセット１などの物体により反射して、受光側レンズ３ｅを介して受光素子３ｃに入射する。このとき、赤外光が入射する際の角度が物体の位置により異なることを利用して、ハンドセット１などの物体と置台２との距離を判定する。そして、検出部３は、判定した距離が基準となる判定距離以上であれば、置台２の近傍に物体が存在しないと判断し、判定した距離が基準となる判定距離未満であれば、置台２の近傍に物体が存在すると判断する。ここで、判定結果を示す信号が検出部３から制御部４に送られる。
【００１６】
制御部４は、置台２の各構成要素を制御する。電話装置インターフェース５は、有線や無線により置台２をハンドセット１に接続するためのものである。報知部６は、他の電話装置から呼び出しがあったことを報知する。ここで、報知部６は、スピーカなどの放音装置や液晶ディスプレイなどの表示装置により構成される。
【００１７】
通信部７は、本実施形態による電話装置と他の電話装置との間の通話路を形成するためのものである。通信部７により他の電話装置との間で通話路が形成されると、ハンドセット１の送話部１ａに入力した音声を通信部７が他の電話装置に送信したり、他の電話装置から入力した音声を通信部７がハンドセット１の受話部１ｂに出力したりするようになる。
【００１８】
ここで、ハンドセット１の位置による電話装置の制御方法を説明する。まず、ハンドセット１が置台２に置かれている状態で、他の電話装置から呼び出しがあり、報知部６が動作した場合、使用者はハンドセット１を置台２から取り上げる。そして、ハンドセット１が基準となる判定距離よりも離れると、検出部３は置台２の近傍に物体が存在しないと判断する。すると、制御部４は、通信部７を制御して他の電話装置との間の通話路を形成する。また、制御部４は、ハンドセット制御部１ｃを制御して、送話部１ａおよび受話部１ｂの動作を有効にする。このとき、使用者は、ハンドセット１を用いて他の電話装置の使用者との間で相互に会話することが可能である。
【００１９】
また、ハンドセット１が置台２に置かれている状態で、他の電話装置から呼び出しがなく、報知部６が動作していない場合に、使用者がハンドセット１を置台２から取り上げると、制御部４は次のような制御を行う。ハンドセット１が基準となる判定距離よりも離れると、検出部３は置台２の近傍に物体が存在しないと判断する。すると、制御部４は、ハンドセット制御部１ｃを制御して、送話部１ａおよび受話部１ｂの動作を有効にする。このとき、使用者は他の電話装置を指定して電話をかけることが可能である。
【００２０】
また、通信部７により通話路が形成されている状態で、他の電話装置の使用者との間の会話が終了して、使用者がハンドセット１を置台２に置こうとした場合には、ハンドセット１が基準となる判定距離の範囲内に存在するため、検出部３は置台２の近傍に物体が存在すると判断する。また、通信部７により通話路が形成されている状態で、使用者の手などが基準となる判定距離の範囲内に入ると、検出部３は置台２の近傍に物体が存在すると判断する。このような場合に、制御部４は、ハンドセット制御部１ｃを制御して、送話部１ａが入力した音声を他の電話装置に出力しないようにする。この状態では、電話装置の使用者の声や電話装置の周囲の音などは、他の電話装置の使用者に聞こえなくなるが、他の電話装置の使用者の声や他の電話装置の周囲の音などは、電話装置の使用者に聞こえるようになる（いわゆる、片方向通話状態になる）。なお、本実施形態では、ハンドセット制御部１ｃが送話部１ａの動作を無効にすることで実現しているが、これに限定されない。例えば、通信部７を制御して、送話部１ａが入力した音声を他の電話装置に出力されないようにしても良い。
【００２１】
このように、検出部３が置台２の近傍に物体が存在すると判断した場合に、制御部４は、図示しない計時部を用いて時間の計測を開始する。計時部により計測した時間が所定の時間以上となった場合には、制御部４は、通信部７を制御して他の電話装置との間の通話路を切断する。このとき、制御部４は、送話部１ａおよび受話部１ｂの動作を無効にする。ここで、所定の時間は、使用者が誤って置台２の近傍に手を翳したりする一瞬の時間を除くような時間であれば良く、例えば５〜１０秒程度の時間が好ましい。すなわち、使用者が置台２の近傍に手を一瞬だけ翳した場合には、送話部１ａに入力した音声は他の電話装置に出力されなくなるが、通話路自体は形成された状態であるため、使用者は相手との会話を続けることが可能である。一方、使用者がハンドセット１を置台２に置いた場合には、その状態が所定の時間以上継続するため、通話路が切断されてハンドセット１がオンフックした状態と同等の状態になる。
【００２２】
また、他の電話装置との間で通話路が形成されていない状態（換言すると、報知部６が動作していないときに、使用者がハンドセット１を取り上げて、ハンドセット１が基準となる判定距離よりも離れている状態）で、使用者がハンドセット１を置台２に置こうとした場合には、ハンドセット１が基準となる判定距離の範囲内に存在するため、検出部３は置台２の近傍に物体が存在すると判断する。このような場合に、制御部４は、ハンドセット制御部１ｃを制御して、送話部１ａおよび受話部１ｂの動作を無効にする。
【００２３】
次に、本実施形態による電話装置の動作を説明する。図３は、本実施形態による電話装置の動作を示すフローチャートである。ここで、ハンドセット１が置台２に置かれている状態（換言すると、検出部３が近傍の物体を検出している状態）で動作を開始する。まず、報知部６により他の電話装置からの呼び出しが報知されているか否かを制御部４にて調べる（ステップＳ１）。他の電話装置からの呼び出しが報知されていないと制御部４にて判断した場合には（ステップＳ１にてＮＯ）、検出部３が近傍の物体を検出していないかどうかが制御部４により判定される（ステップＳ２）。検出部３が近傍の物体を検出していると制御部４にて判断した場合には（ステップＳ２にてＮＯ）、ステップＳ１の処理に戻る。
【００２４】
一方、検出部３が近傍の物体を検出していないと制御部４にて判断した場合には（ステップＳ２にてＹＥＳ）、制御部４は、ハンドセット制御部１ｃを制御して、送話部１ａおよび受話部１ｂの動作を有効にする。そして、制御部４では、使用者の操作などにより他の電話装置が指定され、通信部７により通話路が形成されたか否かを調べる（ステップＳ４）。通話路が形成されたと制御部４にて判断した場合には（ステップＳ４にてＹＥＳ）、ステップＳ８へ移行する。一方、通話路が形成されていないと制御部４にて判断した場合には（ステップＳ４にてＮＯ）、検出部３が近傍の物体を検出したか否かを制御部４にて調べる（ステップＳ５）。
【００２５】
検出部３が近傍の物体を検出していないと制御部４にて判断した場合には（ステップＳ５にてＮＯ）、ステップＳ４の処理に戻る。一方、検出部３が近傍の物体を検出したと制御部４にて判断した場合には（ステップＳ５にてＹＥＳ）、制御部４は、ハンドセット制御部１ｃを制御して、送話部１ａおよび受話部１ｂの動作を無効にする（ステップＳ６）。そして、ステップＳ１の処理に戻る。
【００２６】
また、ステップＳ１の処理において、他の電話装置からの呼び出しが報知されたと制御部４にて判断した場合には（ステップＳ１にてＹＥＳ）、検出部３が近傍の物体を検出していないかどうかを制御部４にて調べる（ステップＳ７）。検出部３が近傍の物体を検出していると制御部４にて判断した場合には（ステップＳ７にてＮＯ）、ステップＳ１の処理に戻る。
【００２７】
一方、検出部３が近傍の物体を検出していないと制御部４にて判断した場合（ステップＳ７にてＹＥＳ）、または、ステップＳ４で通話路が形成されたと制御部４にて判断した場合（ステップＳ４にてＮＯ）には、制御部４は通信部７を制御して他の電話装置との間で通話路を形成し、ハンドセット制御部１を制御して送話部１ａおよび受話部１ｂの動作を有効にする（ステップＳ８）。
【００２８】
この状態で、検出部３が近傍の物体を検出したか否かを制御部４にて調べる（ステップＳ９）。検出部３が近傍の物体を検出していないと制御部４にて判断した場合には（ステップＳ９にてＮＯ）、ステップＳ９の処理を繰り返す。一方、検出部３が近傍の物体を検出したと制御部４にて判断した場合には（ステップＳ９にてＹＥＳ）、制御部４はハンドセット制御部１ｃを制御して送話部１ａが入力した音声を他の電話装置に出力しないように（送話を停止）する（ステップＳ１０）。
【００２９】
そして、検出部３が近傍の物体を検出した状態が所定時間以上となったか否かを制御部４にて調べる（ステップＳ１１）。所定時間以上になっていないと制御部４にて判断した場合には（ステップＳ１１にてＮＯ）、検出部３が物体を検出したか否かを調べる（ステップＳ１２）。検出部３が物体を検出したと制御部４にて判断した場合には（ステップＳ１２にてＹＥＳ）、ステップＳ１１の処理に戻る。一方、検出部３が物体を検出していないと制御部４にて判断した場合には（ステップＳ１２にてＮＯ）、制御部４は送話の停止を解除し（ステップＳ１３）、ステップＳ９の処理に戻る。
【００３０】
また、所定時間以上であると制御部４にて判断した場合には（ステップＳ１１にてＹＥＳ）、制御部４は通信部７を制御して通話路を切断する（ステップＳ１４）。そして、ステップＳ１の処理に戻る。このとき、制御部４は、ハンドセット制御部１ｃを制御して、送話部１ａおよび受話部１ｂの動作を無効としている。
【００３１】
以上詳しく説明したように、本実施形態によれば、呼び出しが報知されている状態で、置台２の近傍の物体を検出する検出部３が物体を検出しなくなった場合に、制御部４は通信部７を制御して通話路を形成するとともに、制御部４はハンドセット制御部１ｃを制御して送話部１ａおよび受話部１ｂの動作を有効にしている。また、呼び出しが報知されていない状態で、検出部３が物体を検出しなくなった場合には、制御部４は、ハンドセット制御部１ｃを制御して送話部１ａおよび受話部１ｂの動作を有効にしている。また、他の電話装置との間で通話路が形成されている状態で、検出部３が物体を検出した場合には、制御部４は送話部１ａが入力した音声を他の電話装置へ出力しないように制御し、検出部３が物体を検出した状態が所定の時間継続した場合には、その通話路を切断するようにしている。一方、他の電話装置との間で通話路が形成されていない状態で、検出部３が物体を検出した場合には、制御部４はハンドセット制御部１ｃを制御して送話部１ａおよび受話部１ｂの動作を無効にしている。
【００３２】
これにより、通話終了後にハンドセット１を置台２に近づけると送話部１ａに入力された音声が通話の相手である電話装置に送信されなくなるので、ハンドセット１が置台２などにぶつかって衝突音が発生しても通話の相手に聞こえなくなる。また、通話終了後にハンドセット１が置台２に置かれて所定の時間が経過すると、通話路が自動的に切断されるとともに、呼び出しの報知に対する応答時にハンドセット１を置台２から取り上げると、通話路が自動的に形成され、通話開始時にハンドセット１を置台２から取り上げると、自動的に通話開始のスタンバイ状態になるので、置台２の近傍の物体を検出する検出部３がフックスイッチを兼ねることができる。これにより、フックオン／フックオフの動作を行う場合に、検出部３とは別にフックスイッチを設ける必要がなくなる。
【００３３】
なお、前述した実施形態では、検出部３として赤外発光ダイオードおよび受光素子を用いた測距センサを使用しているが、これに限定されない。すなわち、置台２の近傍の物体を検出することができれば、どのような検出方法を用いていても良い。
【００３４】
また、前述した実施形態では、報知部６や通信部７を置台２に設けているが、これに限定されない。例えば、これらの構成要素をハンドセット１に設けても良いし、置台２とは別途設けた他の筐体内に設けるようにしても良い。
【００３５】
また、前述した実施形態では、制御部４がハンドセット制御部１ｃを制御して送話部１ａおよび受話部１ｂを有効にしたり無効にしたりしているが、これに限定されない。例えば、送話部１ａおよび受話部１ｂを有効にしたまま、音声の入出力や音量などを調節してこの機能を実現するようにしても良い。
【００３６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３７】
【図１】本実施形態による電話装置の構成例を示す図である。
【図２】本実施形態による電話装置の構成例を示すブロック図である。
【図３】本実施形態による電話装置の動作を示すフローチャートである。
【符号の説明】
【００３８】
１    ハンドセット
１ａ    送話部
１ｂ    受話部
１ｃ    ハンドセット制御部
１ｄ    ハンドセットインターフェース
２    置台
３    検出部
４    制御部
５    電話装置インターフェース
６    報知部
７    通信部
【図１】
2010157809.tif 000003
【図２】
2010157809.tif 000004
【図３】
2010157809.tif 000005